(57)【要約】【課題】１本のゴルフクラブで距離を打ち分けるためにグリップを短く握る際の握る位置を示すようにして安定した距離の打ち分けを可能にする。【解決手段】グリップ部の末端から先端に向けて所定の間隔をあけてグリップ部の円周上に沿って又はグリップ正面に位置して複数の目印を付した。【選択図】図１
2011030621.tif 000002
【特許請求の範囲】
【請求項１】
グリップ部の末端から先端に向けて所定の間隔をあけてグリップ部の円周上に沿って又はグリップ正面に位置して複数の目印を付したことを特徴とするゴルフクラブ用グリップ。
【請求項２】
前記目印が円周上に刻まれた溝であることを特徴とする請求項１に記載のゴルフクラブ用グリップ。
【請求項３】
前記目印が１インチ刻みで、少なくとも３つ形成してあることを特徴とする請求項１又は２に記載のゴルフクラブ用グリップ。
【請求項４】
グリップ部の指先側が触れる円周上の半分と指のつけ根側が触れる残り半分とに刻設される滑り止め用の溝は、指先側の方がつけ根側よりも溝の表面積が大きく形成されていることを特徴とする請求項１ないし３のいずれか１項に記載のゴルフクラブ用グリップ。
【請求項５】
前記溝は、グリップ部の軸線方向に沿った長短の溝の組合せが大半を占め、軸線に沿った点線状の溝の列と直線状の溝の列とで構成され、指先側に直線状の溝を多く配したことを特徴とする請求項４に記載のゴルフクラブ用グリップ。
【発明の詳細な説明】
【技術分野】
【０００１】
本発明は、ゴルフクラブ用グリップに関する。
【背景技術】
【０００２】
ゴルフクラブ用グリップの従来技術としては、汗や雨水の付着によるグリップ部での滑り防止を目的として開発された滑り止め溝付きのグリップが知られている。
【０００３】
これは、特許文献１に示すように、ゴルフクラブを握ったとき、ゴルファーの親指が接するグリップの表側と、人差し指、中指、薬指及び小指が接するグリップの裏側の間でグリップの表面に刻設する滑り止め溝の配設パターンを異ならせたものであり、グリップの表側では、滑り止め溝のＸ方向（シャフトの径方向）成分の総和ΣＸを７００〜６０００ｍｍの範囲に設定し、グリップの裏側では、滑り止め溝のＹ方向（シャフトの軸方向）成分の総和ΣＹを８００〜４０００ｍｍの範囲に設定したものである。
【先行技術文献】
【特許文献】
【０００４】
【特許文献１】特開平８−３８６６０号公報
【発明の概要】
【発明が解決しようとする課題】
【０００５】
特許文献１に記載のグリップは、滑り防止のみを目的としたものであり、ゴルファーが飛距離の調整をする場合に、グリップをどの程度短く握ったらいいのかの目安を設けたものではない。特許文献１に記載のグリップや公知のグリップでは、特に、アイアンクラブのグリップとして特定の番手のクラブで距離を打ち分ける場合、例えばピッチングウェッジやサンドウェッジのようなアプローチで多用するクラブのグリップでは、グリップを握る位置とスイングアークの大きさなどにより距離を調整する必要が生じていたが、グリップのどの位置を握るかは、各人の経験と感覚に頼っていた。
【０００６】
そこで、グリップに印をつけて握る位置のクラブ長を正確なものとし、距離の打ち分けをより一層正確にできるようにしたゴルフクラブ用グリップを提供することを目的とする。
【課題を解決するための手段】
【０００７】
上述の目的を達成するため、本発明は、グリップ部の末端から先端に向けて、所定の間隔をあけてグリップ部の円周上に沿って又はグリップ部正面に位置して複数の目印を付したものである。
【発明の効果】
【０００８】
本発明によれば、グリップ部の末端から先端に向けて所定の間隔をあけてグリップ部の円周上に沿って又はグリップ正面に位置して複数の目印を付したので、例えば１インチ刻みに目印を４つ形成した場合、そのクラブがピッチングウェッジ（ＰＷ）であれば、ゴルファーがハーフスイングしてアプローチするとき、グリップ部の末端から１インチ離れた目印の個所まで短く握ってショットすれば、最も長く握ったときよりも５ヤード短い距離を打てることができ、１インチ短く握るごとに５ヤード間隔で短くすることができる。勿論、ゴルファーの体型や熟練度などによって１インチ短く握ることでそれぞれのゴルファーの特性に応じた距離を簡単に打ち分けることができる。
【図面の簡単な説明】
【０００９】
【図１】グリップ部の正面図。
【図２】グリップ部の背面図。
【発明を実施するための形態】
【００１０】
以下に本発明の実施形態を図面を参照にして説明する。
【００１１】
図１は、グリップ部１の正面（ゴルファーが握ったときの上側）を示し、基端１Ａから先端１Ｂに向けて所定の間隔、この例では１インチの間隔をあけてグリップ部１の円周上に沿って３つの目印２を付してある。図示する例の目印２は、１〜２ｍｍの幅を有する浅い円環状の溝から成り、視覚的にもゴルファーに目立つように形成してある。これら目印２は、円環状に形成されず、正面から見える部分にのみ色分け、印刷、刻設などの手段によって形成することもできる。例えば、基端１Ａから１インチの個所に星型の印を１つ形成し、２インチの個所に同様の印を２つ形成し、３インチの個所に同様の印を３つ形成することもできる。また、１インチ刻みではなく、半インチ刻みとか、３ｃｍ刻みなどの間隔で目印２を形成することもできる。
【００１２】
ゴルフゲームにおいては、特に１００ヤード以内の距離感を養うことがスコアアップにつながることはよく知られている。アマチュアゴルファーでは、練習時間も少ないので、特定の振り幅とグリップ部１を握る位置（どの程度短く握るか）を特定することが、距離感を養うのに最適である。振り幅については、８時から４時（時計の文字盤を想定）のスイング、９時から３時のスイング（ハーフショット）、１０時から２時のスイング（スリークオータショット）、１１時から１時のスイングにグリップを１インチ、２インチ、３インチ短く握った場合を組合せることにより、すなわち４種類の振り幅と、４種類（一番長くグリップしたときを加える）のグリップ位置の組合せにより、１本のアイアンクラブで１６通りの距離が打ち分けられることになる。プロゴルファーのように練習量が多く、技術も高くないアマチュアゴルファーが軽く打ったり、強く打って距離を打ち分けるのは非常に難しいし、ミスにもつながり易い。アマチュアゴルファーは振り幅とグリップの長さで距離を打ち分ける方がやさしい。そのためにも、本発明の目印２が役立つ。
【００１３】
グリップ部１は、合成ゴム製が大半を占め、ゴムの加硫成形時に滑り止め用の溝３を全表面に刻設する。本発明の実施例では、グリップ部１の軸線方向（基端１Ａから先端１Ｂの方向）に沿って長短の溝３を組み合せてある。グリップ部１の正面中央の先端寄りには別の形状（山形）の溝３０を形成してある。これらの溝３０を除き、軸線に沿った点線状の溝３Ａの群と、直線状の溝３Ｂの群とを配列してある。そして、指先側に直線状の溝３Ｂを指のつけ根側に比べて多く配して、指先側において滑りにくくなるような構成になっている。グリップ部１の基端１Ａ寄りの部分には、前述した目印２の他に、この環状の目印２に直交するように溝３Ａ、３Ｂが形成してあり、右利き用グリップであれば、左手の指先側で握る部分では、点線状の溝３Ａと直線状の溝３Ｂとを交互に配し、左手の指のつけ根側で握る部分では、点線状の溝３Ａのみを配してある。右手で握るグリップ部１の部分、すなわち先端１Ｂ寄りの部分では、図２に示すように、指先側で握る部分において、点線状の溝３Ａと直線状の溝３Ｂとを交互に配し、指のつけ根側で握る部分において、点線状の溝３Ａのみを配してある。なお、基端１Ａ側と先端側、山形の溝３０の先端側２つの間に、グリップ１をシャフトに挿入したときにグリップ１自体がシャフトに対して真っ直ぐに挿入されたかどうかを確認するための目印５を設けてある。また、山形の溝３０とグリップ１の先端側正面に設けられた点状溝３Ｃとは、グリップ１のシャフト挿入時にヘッドのフェースの向きを正しい方向に整えるための目印となるものである。
【００１４】
なお、グリップ部１の基端１Ａ側の左手で握る部分（右利きの場合）と右手で握る先端１Ｂ側の部分との境に、境界目印４を形成してあり、この境界目印４を境にしてグリップ部１に着色された色の明度を変えている。すなわち、基端１Ａとを境界目印４との間の色を暗くし、境界目印４と先端１Ｂとの間の色を明るくしてあり、実施例では、基端１Ａ側を濃紺とし、徐々に明るい水色になるように色分けしてある。ゴルファーの手元側から色の明度が徐々に明るくなるようにすると実際の長さよりも短く感じることになる。グリップ部１の長さが短く感じると、ゴルフクラブ全体の長さも短く感じて打ち易くなる。
【符号の説明】
【００１５】
１    グリップ部
１Ａ  基端
１Ｂ  先端
２    目印
３    溝
３Ａ  点線状の溝
３Ｂ  直線状の溝
【図１】
2011030621.tif 000003
【図２】
2011030621.tif 000004